(57)【特許請求の範囲】
【請求項１】
回線終端装置をＩＳＰ（Ｉｎｔｅｒｎｅｔ  Ｓｅｒｖｉｃｅ  Ｐｒｏｖｉｄｅｒ）を経由してインタネットに接続するネットワーク接続システムであって、
前記ＩＳＰのサーバ装置が加入者の契約サービス内容に応じた機器プログラムを回線終端装置に提供し、
前記サーバ装置は、前記加入者契約サービス内容に変更があった時に前記回線終端装置に対して機器プログラム更新指示を送出する手段と、前記機器プログラム更新指示に対する応答を受信した時にその変更された加入者契約サービス内容にしたがった機器プログラムを前記回線終端装置に送出する手段とを含むことを特徴とするネットワーク接続システム。
【請求項２】
前記サーバ装置は、前記回線終端装置から受信した前記機器プログラムの送信要求中に前記回線終端装置を特定する端末識別子が存在する時にその端末識別子に対応する加入者契約サービス内容を取得してその内容にしたがった機器プログラムを取得する手段と、この取得した機器プログラムを前記回線終端装置に送出する手段とを含むことを特徴とする請求項１記載のネットワーク接続システム。
【請求項３】
前記回線終端装置は、前記機器プログラムを保持する不揮発性メモリと、起動時に前記不揮発性メモリ内に書込み済み機器プログラムが存在しない時に前記端末識別子を伴った機器プログラム取得要求を前記サーバ装置に送出する手段とを含むことを特徴とする請求項２記載のネットワーク接続システム。
【請求項４】
前記サーバ装置は、前記機器プログラム更新指示に対する応答を受信しなかった時に前記機器プログラム更新指示を前記回線終端装置に再送出する手段を含むことを特徴とする請求項１から請求項３のいずれか記載のネットワーク接続システム。
【請求項５】
前記回線終端装置は、前記サーバ装置から前記機器プログラム更新指示を受信した時に前記端末識別子を伴った前記機器プログラム更新指示に対する応答を前記サーバ装置に送出する手段を含むことを特徴とする請求項１から請求項４のいずれか記載のネットワーク接続システム。
【請求項６】
回線終端装置をＩＳＰ（Ｉｎｔｅｒｎｅｔ  Ｓｅｒｖｉｃｅ  Ｐｒｏｖｉｄｅｒ）を経由してインタネットに接続するネットワーク接続システムに用いられる前記ＩＳＰのサーバ装置であって、
加入者の契約サービス内容に応じた機器プログラムを前記回線終端装置に提供し、
前記加入者契約サービス内容に変更があった時に前記回線終端装置に対して機器プログラム更新指示を送出する手段と、前記機器プログラム更新指示に対する応答を受信した時にその変更された加入者契約サービス内容にしたがった機器プログラムを前記回線終端装置に送出する手段とを含むことを特徴とするサーバ装置。
【請求項７】
前記回線終端装置から受信した前記機器プログラムの送信要求中に前記回線終端装置を特定する端末識別子が存在する時にその端末識別子に対応する加入者契約サービス内容を取得してその内容にしたがった機器プログラムを取得する手段と、この取得した機器プログラムを前記回線終端装置に送出する手段とを含むことを特徴とする請求項６記載のサーバ装置。
【請求項８】
前記機器プログラム更新指示に対する応答を受信しなかった時に前記機器プログラム更新指示を前記回線終端装置に再送出する手段を含むことを特徴とする請求項６または請求項７記載のサーバ装置。
【請求項９】
ＩＳＰ（Ｉｎｔｅｒｎｅｔ  Ｓｅｒｖｉｃｅ  Ｐｒｏｖｉｄｅｒ）を経由してインタネットに接続される回線終端装置であって、
前記ＩＳＰのサーバ装置から加入者の契約サービス内容に応じた機器プログラムにて動作し、
前記加入者契約サービス内容に変更があった時に前記サーバ装置から送られてくる機器プログラム更新指示を受信した時に前記端末識別子を伴った前記機器プログラム更新指示に対する応答を前記サーバ装置に送出する手段を含むことを特徴とする回線終端装置。
【請求項１０】
前記機器プログラムを保持する不揮発性メモリと、起動時に前記不揮発性メモリ内に書込み済み機器プログラムが存在しない時に自装置を特定する端末識別子を伴った機器プログラム取得要求を前記サーバ装置に送出する手段とを含むことを特徴とする請求項９記載の回線終端装置。
【請求項１１】
回線終端装置をＩＳＰ（Ｉｎｔｅｒｎｅｔ  Ｓｅｒｖｉｃｅ  Ｐｒｏｖｉｄｅｒ）を経由してインタネットに接続するネットワーク接続システムに用いられる機器プログラム提供方法であって、
前記ＩＳＰのサーバ装置が加入者の契約サービス内容に応じた機器プログラムを回線終端装置に提供し、
前記サーバ装置が、前記加入者契約サービス内容に変更があった時に前記回線終端装置に対して機器プログラム更新指示を送出する処理と、前記機器プログラム更新指示に対する応答を受信した時にその変更された加入者契約サービス内容にしたがった機器プログラムを前記回線終端装置に送出する処理とを実行することを特徴とする機器プログラム提供方法。
【請求項１２】
前記サーバ装置が、前記回線終端装置から受信した前記機器プログラムの送信要求中に前記回線終端装置を特定する端末識別子が存在する時にその端末識別子に対応する加入者契約サービス内容を取得してその内容にしたがった機器プログラムを取得する処理と、この取得した機器プログラムを前記回線終端装置に送出する処理とを実行することを特徴とする請求項１１記載の機器プログラム提供方法。
【請求項１３】
前記回線終端装置が、起動時に前記機器プログラムを保持する不揮発性メモリ内に書込み済み機器プログラムが存在しない時に前記端末識別子を伴った機器プログラム取得要求を前記サーバ装置に送出する処理を実行することを特徴とする請求項１２記載の機器プログラム提供方法。
【請求項１４】
前記サーバ装置が、前記機器プログラム更新指示に対する応答を受信しなかった時に前記機器プログラム更新指示を前記回線終端装置に再送出する処理を実行することを特徴とする請求項１１から請求項１３のいずれか記載の機器プログラム提供方法。
【請求項１５】
前記回線終端装置が、前記サーバ装置から前記機器プログラム更新指示を受信した時に前記端末識別子を伴った前記機器プログラム更新指示に対する応答を前記サーバ装置に送出する処理を実行することを特徴とする請求項１１から請求項１４のいずれか記載の機器プログラム提供方法。
【発明の詳細な説明】
【技術分野】
【０００１】
本発明はネットワーク接続システム、サーバ装置、回線終端装置及びそれらに用いる機器プログラム提供方法に関し、特に加入者端末をインタネットへ接続するための回線終端装置の機器プログラムに関する。
【背景技術】
【０００２】
従来、ネットワーク接続システムにおいては、図８に示すように、加入者＃１〜＃ｎがインタネットに接続する場合、回線終端装置３−１〜３−ｎを各加入者回線７０１〜７０ｎに接続し、ＩＳＰ（Ｉｎｔｅｒｎｅｔ  Ｓｅｒｖｉｃｅ  Ｐｒｏｖｉｄｅｒ）網６００を経由してインタネット５００に接続している。
【０００３】
この回線終端装置３−１〜３−ｎは、加入者＃１〜＃ｎ毎に契約サービス内容が異なり、加入者によっては利用しないサービスがあっても、全ての契約サービス内容を動作させるための機器プログラムを搭載する必要がある（例えば、特許文献１参照）。
【０００４】
【特許文献１】特開２００１−０２２５８７号公報
【発明の開示】
【発明が解決しようとする課題】
【０００５】
上述した従来の回線終端装置では、全ての契約サービス内容を動作させるための機器プログラムを搭載する必要があるため、回線終端装置内の機器プログラムを格納する不揮発性メモリ容量が増加してしまうという問題がある。
【０００６】
また、回線終端装置は全ての契約サービス内容を動作させるための機器プログラムを搭載する必要があるため、加入者が契約していないサービスが不正に利用される可能性があるという問題がある。
【０００７】
そこで、本発明の目的は上記の問題点を解消し、加入者毎の契約サービス内容に応じた機器プログラムとし、その機器プログラムサイズを小さくすることができるネットワーク接続システム、サーバ装置、回線終端装置及びそれらに用いる機器プログラム提供方法を提供することにある。
【課題を解決するための手段】
【０００８】
本発明によるネットワーク接続システムは、回線終端装置をＩＳＰ（Ｉｎｔｅｒｎｅｔ  Ｓｅｒｖｉｃｅ  Ｐｒｏｖｉｄｅｒ）を経由してインタネットに接続するネットワーク接続システムであって、
前記ＩＳＰのサーバ装置が加入者の契約サービス内容に応じた機器プログラムを回線終端装置に提供し、
前記サーバ装置は、前記加入者契約サービス内容に変更があった時に前記回線終端装置に対して機器プログラム更新指示を送出する手段と、前記機器プログラム更新指示に対する応答を受信した時にその変更された加入者契約サービス内容にしたがった機器プログラムを前記回線終端装置に送出する手段とを具備している。
【０００９】
本発明によるサーバ装置は、回線終端装置をＩＳＰ（Ｉｎｔｅｒｎｅｔ  Ｓｅｒｖｉｃｅ  Ｐｒｏｖｉｄｅｒ）を経由してインタネットに接続するネットワーク接続システムに用いられる前記ＩＳＰのサーバ装置であって、
加入者の契約サービス内容に応じた機器プログラムを前記回線終端装置に提供し、
前記加入者契約サービス内容に変更があった時に前記回線終端装置に対して機器プログラム更新指示を送出する手段と、前記機器プログラム更新指示に対する応答を受信した時にその変更された加入者契約サービス内容にしたがった機器プログラムを前記回線終端装置に送出する手段とを具備している。
【００１０】
本発明による回線終端装置は、ＩＳＰ（Ｉｎｔｅｒｎｅｔ  Ｓｅｒｖｉｃｅ  Ｐｒｏｖｉｄｅｒ）を経由してインタネットに接続される回線終端装置であって、
前記ＩＳＰのサーバ装置から加入者の契約サービス内容に応じた機器プログラムにて動作し、
前記加入者契約サービス内容に変更があった時に前記サーバ装置から送られてくる機器プログラム更新指示を受信した時に前記端末識別子を伴った前記機器プログラム更新指示に対する応答を前記サーバ装置に送出する手段を具備している。
【００１１】
本発明による機器プログラム提供方法は、回線終端装置をＩＳＰ（Ｉｎｔｅｒｎｅｔ  Ｓｅｒｖｉｃｅ  Ｐｒｏｖｉｄｅｒ）を経由してインタネットに接続するネットワーク接続システムに用いられる機器プログラム提供方法であって、
前記ＩＳＰのサーバ装置が加入者の契約サービス内容に応じた機器プログラムを回線終端装置に提供し、
前記サーバ装置が、前記加入者契約サービス内容に変更があった時に前記回線終端装置に対して機器プログラム更新指示を送出する処理と、前記機器プログラム更新指示に対する応答を受信した時にその変更された加入者契約サービス内容にしたがった機器プログラムを前記回線終端装置に送出する処理とを実行している。                                                                    
【００１２】
すなわち、本発明のネットワーク接続システムは、回線終端装置をＩＳＰ（Ｉｎｔｅｒｎｅｔ  Ｓｅｒｖｉｃｅ  Ｐｒｏｖｉｄｅｒ）を経由してインタネットに接続するシステムにおいて、加入者の契約サービス内容に応じた回線終端装置の機器プログラムをＩＳＰのサーバ装置から提供することで、回線終端装置に搭載する機器プログラムのサイズを小さくすることを特徴とする。
【００１３】
より具体的に説明すると、本発明のネットワーク接続システムでは、回線終端装置が起動時に不揮発性メモリ内に書込み済み機器プログラムが存在しない場合、端末識別子を取得し、その端末識別子を伴った機器プログラム取得要求をＩＳＰ回線を介してサーバ装置に送出する。
【００１４】
サーバ装置はＩＳＰ回線を介して回線終端装置からの機器プログラム送信要求を受信した場合、その機器プログラム送信要求中に端末識別子が存在すると、加入者契約サービス内容を取得し、その内容にしたがった機器プログラムを取得し、この取得した機器プログラムをＩＳＰ回線を介して回線終端装置に送出する。
【００１５】
本発明のネットワーク接続システムは、回線終端装置が、加入者の契約サービス内容にしたがって必要な機器プログラムのみを搭載することによって、回線終端装置に搭載する機器プログラムのサイズを小さくすることが可能となり、回線終端装置に搭載する不揮発性メモリの容量を削減することが可能となる。
【００１６】
また、本発明のネットワーク接続システムは、回線終端装置が、加入者の契約サービス内容にしたがって必要な機器プログラムのみを搭載することによって、契約していないサービスを利用不可とし、不正なサービス利用を防止することが可能となる。
【００１７】
さらに、本発明のネットワーク接続システムは、回線終端装置が、加入者の契約サービス内容にしたがって必要な機器プログラムのみを搭載することによって、回線終端装置の設定によって利用するサービスを選択することが不要となるため、回線終端装置での設定が不要になる。
【発明の効果】
【００１８】
本発明は、以下に述べるような構成及び動作とすることで、加入者毎の契約サービス内容に応じた機器プログラムとし、その機器プログラムサイズを小さくすることができるという効果が得られる。
【発明を実施するための最良の形態】
【００１９】
次に、本発明の実施例について図面を参照して説明する。図１は本発明の一実施例によるネットワーク接続システムの構成を示すブロック図である。図１において、本発明の一実施例によるネットワーク接続システムはサーバ装置１と、回線終端装置２と、インタネット１００と、ＩＳＰ（Ｉｎｔｅｒｎｅｔ  Ｓｅｒｖｉｃｅ  Ｐｒｏｖｉｄｅｒ：インタネットサービスプロバイダ）２００と、加入者網３００と、ＩＳＰ回線４００とから構成されている。
【００２０】
サーバ装置１はインタネット１００への接続の仲介をする機能とともに、本実施例では回線終端装置２に対して機器プログラムを受け渡す機能を持つ。尚、本実施例によるネットワーク接続システムは、回線終端装置２がＩＳＰ２００によって加入者に提供され、そこに登録されている端末識別子が加入者の契約サービス内容とセットになってサーバ装置１に格納されている。本実施例では、加入者を特定するために各回線終端装置２に登録されている固有情報を端末識別子と呼ぶ。
【００２１】
図２は図１のサーバ装置１の構成を示すブロック図である。図２において、サーバ装置１はＩＳＰ２００の局舎内に設置され、インタネット１００とＩＳＰ回線４００とに接続されている。また、サーバ装置１は機器プログラム格納部１１と、加入者契約サービス内容格納部１２と、プログラムを実行して各部の制御を行う制御部１３と、送受信部１４とから構成されている。
【００２２】
制御部１３はＩＳＰ回線４００を介して送受信部１４が回線終端装置２から受信した機器プログラム送信要求に含まれる端末識別子に基づいて加入者契約サービス内容格納部１２を参照し、機器プログラム格納部１１へ加入者の契約サービス内容にしたがった機器プログラムを要求する。機器プログラム格納部１１は加入者の契約サービス内容毎の機器プログラムを格納し、加入者の契約サービス内容にしたがって要求された機器プログラムを制御部１３へ渡す。
【００２３】
制御部１３は送受信部１４に対して加入者の契約サービス内容にしたがった機器プログラムの送信を指示し、送受信部１４からＩＳＰ回線４００を介して回線終端装置２に加入者の契約サービス内容にしたがった機器プログラムを送信する。また、制御部１３はＩＳＰ回線４００を介して送受信部１４が回線終端装置２から認証要求を受けた場合、加入者契約サービス内容格納部１２を参照して認証処理を行う。認証が正常に行えた場合、制御部１３は加入者をインタネット１００に接続させる。
【００２４】
図３は図１の回線終端装置２の構成を示すブロック図である。図３において、回線終端装置２は加入者宅内に設置され、ＩＳＰ回線４００を介してインタネット１００に接続される。また、回線終端装置２は送受信部２１と、プログラムを実行して各部の制御を行う制御部２２と、不揮発性メモリ２３と、端末識別子格納部２４とから構成されている。
【００２５】
制御部２２は端末識別子格納部２４から回線終端装置２固有の端末識別子を取得し、送受信部２１に対して機器プログラム送信要求の送信を指示し、送受信部２１からＩＳＰ回線４００を介してＩＳＰ２００の局舎内に設置されるサーバ装置１に機器プログラム送信要求の送信を行う。
【００２６】
送受信部２１がＩＳＰ回線４００を介してＩＳＰ２００の局舎内に設置されるサーバ装置１から機器プログラムを受信した場合、制御部２２は受信した機器プログラムを不揮発性メモリ２３へ書込み、以降、回線終端装置２はその機器プログラムで起動される。また、制御部２２は送受信部２１に対してインタネット１００に接続するための認証要求の送信を指示し、送受信部２１からＩＳＰ回線４００を介してＩＳＰ２００の局舎内に設置されるサーバ装置１にインタネット１００に接続するための認証要求の送信を行う。
【００２７】
図４は図１の回線終端装置２における機器プログラムの取得動作を示すフローチャートであり、図５は図１のサーバ装置１における機器プログラムの受け渡し動作を示すフローチャートである。これら図１〜図５を参照して本発明の一実施例によるネットワーク接続システムの動作について説明する。尚、図４に示す動作は回線終端装置２の制御部２２がプログラムを実行することで実現され、図５に示す動作はサーバ装置１の制御部１３がプログラムを実行することで実現される。最初に、回線終端装置２の動作を、次にサーバ装置１の動作をそれぞれ説明する。
【００２８】
まず、回線終端装置２の制御部２２は、回線終端装置２の起動時に不揮発性メモリ２３内に書込み済み機器プログラムが存在するかどうかを確認する（図４ステップＳ１）。制御部２２は書込み済み機器プログラムが存在する場合、不揮発性メモリ２３内に書込み済みの機器プログラムを用いて回線終端装置２の起動を行う（図４ステップＳ２）。その場合、制御部２２は送受信部２１に対してインタネット１００に接続するための認証要求の送信を指示し、送受信部２１からＩＳＰ回線４００を介してＩＳＰ２００の局舎内に設置されるサーバ装置１にインタネット１００に接続するための認証要求の送信を行う。
【００２９】
制御部２２は書込み済み機器プログラムが存在しない場合、サーバ装置１から機器プログラムの取得を実行する。この場合、制御部２２は端末識別子格納部２４から回線終端装置２固有の情報である端末識別子を取得する（図４ステップＳ３）。端末識別子としては、回線終端装置２毎にユニークな情報［例えば、物理情報であるＭＡＣ（Ｍｅｄｉａ  Ａｃｃｅｓｓ  Ｃｏｎｔｒｏｌ）アドレス］、あるいは回線終端装置２毎に割当てたシリアル番号等を用いる。
【００３０】
制御部２２は送受信部２１に対して、ＩＳＰ回線４００を介してサーバ装置１から機器プログラムの取得を実行するように指示する。その際、制御部２２は送受信部２１に対して、ステップＳ３で取得した端末識別子を加入者識別情報としてサーバ装置１に送出させる。送受信部２１はサーバ装置１に対して、端末識別子を伴った機器プログラム取得要求を送出する（図４ステップＳ４）。
【００３１】
送受信部２１がＩＳＰ回線４００を介してサーバ装置１から機器プログラムの取得を行うと（図４ステップＳ５）、制御部２２は送受信部２１がＩＳＰ回線４００を介してサーバ装置１からの機器プログラムの取得が成功したかどうかを監視する（図４ステップＳ６）。サーバ装置１からの機器プログラムの取得が成功した場合、制御部２２は取得した機器プログラムを不揮発性メモリ２３に書込む（図４ステップＳ８）。さらに、制御部２２は回線終端装置２を再起動させ（図４ステップＳ９）、不揮発性メモリ２３に書込んだ機器プログラムにて回線終端装置２を動作させる。回線終端装置２を再起動させた場合の動作は、上記のステップＳ１，Ｓ２の動作と同様である。
【００３２】
一方、制御部２２はサーバ装置１からの機器プログラムの取得が失敗した場合、機器プログラムの取得失敗回数が任意の回数Ｎまで達していなければ（図４ステップＳ７）、ステップＳ４に戻って機器プログラム取得要求を送出させる。また、制御部２２は機器プログラムの取得失敗回数が任意の回数Ｎまで達した場合（図４ステップＳ７）、機器プログラムの取得動作を停止する。
【００３３】
サーバ装置１の制御部１３は送受信部１４に対して、ＩＳＰ回線４００を介して加入者網３００に設置されている回線終端装置２からの機器プログラム送信要求の受信待ち及び認証要求の受信待ちとなるように指示する（図５ステップＳ１１）。制御部１３は送受信部１４が認証要求を受信した場合、加入者契約サービス内容格納部１２を参照して認証処理を行う。認証が正常に行えた場合、制御部１３は認証要求を送信してきた加入者をインタネット１００に接続させる。
【００３４】
また、制御部１３は送受信部１４が機器プログラム送信要求を受信した場合（図５ステップＳ１２）、その機器プログラム送信要求中に端末識別子が存在するかどうかを確認する（図５ステップＳ１３）。制御部１３は端末識別子が存在しない場合、ステップＳ１１に戻って機器プログラム送信要求の受信待ち及び認証要求の受信待ちを行う。
【００３５】
制御部１３は端末識別子が存在する場合、加入者契約サービス内容格納部１２から加入者契約サービス内容を取得し（図５ステップＳ１４）、取得した加入者契約サービス内容にしたがった機器プログラムを機器プログラム格納部１１から取得する（図５ステップＳ１５）。制御部１３は取得した機器プログラムを、送受信部１４からＩＳＰ回線４００を介して加入者網３００に設置されている回線終端装置２に対して送出する（図５ステップＳ１６）。
【００３６】
このように、本実施例では、回線終端装置２をＩＳＰ２００を経由してインタネット１００に接続するシステムにおいて、加入者の契約サービス内容に応じた回線終端装置２の機器プログラムをＩＳＰ２００のサーバ装置１から提供することによって、回線終端装置２に搭載する機器プログラムのサイズを小さくすることができる。
【００３７】
本実施例では、回線終端装置２が、加入者の契約サービス内容にしたがって必要な機器プログラムのみを搭載することによって、回線終端装置２に搭載する機器プログラムのサイズを小さくすることができ、回線終端装置２に搭載する不揮発性メモリ２３の容量を削減することができる。
【００３８】
また、本実施例では、回線終端装置２が、加入者の契約サービス内容にしたがって必要な機器プログラムのみを搭載することによって、契約していないサービスを利用不可とし、不正なサービス利用を防止することができる。
【００３９】
さらに、本実施例では、回線終端装置２が、加入者の契約サービス内容にしたがって必要な機器プログラムのみを搭載することによって、回線終端装置２の設定によって利用するサービスを選択することが不要となるため、回線終端装置２での設定が不要になる。
【００４０】
図６は本発明の他の実施例による回線終端装置における更新機器プログラムの取得動作を示すフローチャートであり、図７は本発明の他の実施例によるサーバ装置における更新機器プログラムの受け渡し動作を示すフローチャートである。尚、本発明の他の実施例によるネットワーク接続システムは図１に示す本発明の一実施例によるネットワーク接続システムと同様の構成となっており、本発明の他の実施例によるサーバ装置は図２に示す本発明の一実施例によるサーバ装置１と同様の構成となっており、本発明の他の実施例による回線終端装置は図３に示す本発明の一実施例による回線終端装置と同様の構成となっている。
【００４１】
以下、図１〜図３と図６と図７とを参照して、本発明の他の実施例によるネットワーク接続システムの動作について説明する。ここで、図６に示す動作は回線終端装置２の制御部２２がプログラムを実行することで実現され、図７に示す動作はサーバ装置１の制御部１３がプログラムを実行することで実現される。
【００４２】
加入者の契約サービス内容が変更された際には、ＩＳＰ２００側から配布する機器プログラムを更新することで対応することが可能となる。最初に、回線終端装置２の動作を、次にサーバ装置１の動作をそれぞれ説明する。
【００４３】
まず、回線終端装置２の制御部２２は、送受信部２１がＩＳＰ回線４００を介してＩＳＰ２００のの局舎内に設置されるサーバ装置１から機器プログラム更新指示を受信したかどうかを監視する（図６ステップＳ２１，Ｓ２２）。機器プログラム更新指示を受信した場合、制御部２２は送受信部２１に対して機器プログラム更新応答の送信を指示し、送受信部２１からＩＳＰ回線４００を介してサーバ装置１に端末識別子を伴った機器プログラム更新応答を送出する（図６ステップＳ２３）。
【００４４】
送受信部２１がＩＳＰ回線４００を介してサーバ装置１から機器プログラムの取得を行うと（図６ステップＳ２４）、制御部２２は送受信部２１がＩＳＰ回線４００を介してサーバ装置１からの機器プログラムの取得が成功したかどうかを監視する（図６ステップＳ２５）。機器プログラムの取得が成功した場合、制御部２２は取得した機器プログラムを不揮発性メモリ２３に書込む（図６ステップＳ２７）。さらに、制御部２２は回線終端装置２を再起動させ（図６ステップＳ２８）、不揮発性メモリ２３に書込んだ機器プログラムで回線終端装置２を動作させる。
【００４５】
一方、制御部２２は機器プログラムの取得が失敗した場合、機器プログラムの取得失敗回数が任意の回数Ｎまで達していない場合（図６ステップＳ２６）、ステップＳ２３に戻って機器プログラムの取得要求を再送出する。機器プログラムの取得失敗回数が任意の回数Ｎまで達した場合（図６ステップＳ２６）、機器プログラムの更新動作を停止する。
【００４６】
加入者契約サービス内容に変更があった場合（図７ステップＳ３１）、例えば加入者が新たにＩＰ（Ｉｎｔｅｒｎｅｔ  Ｐｒｏｔｏｃｏｌ）電話サービスを契約した場合、サーバ装置１の制御部１３は送受信部１４に対して、ＩＳＰ回線４００を介して回線終端装置２の機器プログラムを更新するように指示する。送受信部１４は回線終端装置２に対して機器プログラム更新指示を送出する（図７ステップＳ３２）。
【００４７】
サーバ装置１の制御部１３は送受信部１４に対して、ＩＳＰ回線４００を介して回線終端装置２からの機器プログラム更新応答受信待ち状態となるように指示する（図７ステップＳ３３）。制御部１３は送受信部１４が機器プログラム更新応答を受信した場合（図７ステップＳ３４）、加入者契約サービス内容にしたがった機器プログラムを機器プログラム格納部１１から取得する（図７ステップＳ３５）。
【００４８】
制御部１３は送受信部１４が機器プログラム更新応答を受信しなかった場合、送受信部１４に対して機器プログラム更新指示を再送出するように指示する。送受信部１４は回線終端装置２に対して機器プログラム更新指示を再送出する（図７ステップＳ３２）。
【００４９】
制御部１３は送受信部１４に対して、取得した機器プログラムをＩＳＰ回線４００を介して回線終端装置２に送信するように指示する。送受信部１４は回線終端装置２に対して機器プログラムを送出する（図７ステップＳ３６）。
【００５０】
このように、本実施例では、加入者毎の契約サービス内容に応じた機器プログラムをＩＳＰ２００側から提供することができるため、従来の契約サービス変更の際に必要だった加入者による機器プログラム更新作業、設定変更作業が不要となり、ＩＳＰ２００側の加入者に対するメンテナンス費用を削減することができるため、メンテナンス費用を削減することができる。
【図面の簡単な説明】
【００５１】
【図１】本発明の一実施例によるネットワーク接続システムの構成を示すブロック図である。
【図２】図１のサーバ装置の構成を示すブロック図である。
【図３】図１の回線終端装置の構成を示すブロック図である。
【図４】図１の回線終端装置における機器プログラムの取得動作を示すフローチャートである。
【図５】図１のサーバ装置における機器プログラムの受け渡し動作を示すフローチャートである。
【図６】本発明の他の実施例による回線終端装置における更新機器プログラムの取得動作を示すフローチャートである。
【図７】本発明の他の実施例によるサーバ装置における更新機器プログラムの受け渡し動作を示すフローチャートである。
【図８】従来のネットワーク接続システムの構成を示すブロック図である。
【符号の説明】
【００５２】
１  サーバ装置
２  回線終端装置
１１  機器プログラム格納部
１２  加入者契約サービス内容格納部
１３，２２  制御部
１４，２１  送受信部
２３不揮発性メモリ
２４  端末識別子格納部
１００  インタネット
２００  ＩＳＰ
３００  加入者網
４００  ＩＳＰ回線
【図１】
0004463182.tif 000002
【図２】
0004463182.tif 000003
【図３】
0004463182.tif 000004
【図４】
0004463182.tif 000005
【図５】
0004463182.tif 000006
【図６】
0004463182.tif 000007
【図７】
0004463182.tif 000008
【図８】
0004463182.tif 000009